(57)【要約】【課題】違和感なく人の音声が聞き取りやすくできる再生システムを提供する。【解決手段】基準点の周囲に配置する複数のスピーカーに対応したチャンネルの音信号のうち、人の音声が含まれる音信号を、それぞれの音量や周波数帯などの音特性を比較して検出する。検出したチャンネルの音信号のみをダイナミックレンジ圧縮する。聴取者が違和感なく、音量や周波数帯などを比較する簡単な構成で、人の音声である映画の台詞などを聞き取りやすくでき、良好なコンテンツの鑑賞を提供できる。【選択図】図１
2010230972.tif 000002
【特許請求の範囲】
【請求項１】
基準点の周囲に配置される複数のスピーカーからこれらスピーカーに対応したチャンネルの音信号を再生させるために、当該音信号を処理する音信号処理装置であって、
前記チャンネルの音信号のうち人の音声が含まれる音信号を、それぞれの音特性の比較に基づいて検出する音声検出手段と、
この音声検出手段で検出した音声が含まれるチャンネルの音信号のみをダイナミックレンジ圧縮する圧縮処理手段と、
を具備したことを特徴とした音信号処理装置。
【請求項２】
請求項１に記載の音信号処理装置であって、
前記音声検出手段は、基準点の周囲に配置されるスピーカーにおける隣接するスピーカーに対応したチャンネルの音信号同士で比較し、人の音声が含まれるか否かを判断する
ことを特徴とした音信号処理装置。
【請求項３】
請求項１または請求項２に記載の音信号処理装置であって、
前記音声検出手段は、各チャンネルの音信号のうち、他のチャンネルの音信号よりも相対的に音特性における音量が大きいチャンネルの音信号を音声が含まれる音信号として検出する
ことを特徴とした音信号処理装置。
【請求項４】
請求項１から請求項３までのいずれか一項に記載の音信号処理装置であって、
前記音声検出手段は、各チャンネルの音信号のうち、他のチャンネルの音信号と音特性で相関性が低いチャンネルの音信号を音声が含まれる音信号として検出する
ことを特徴とした音信号処理装置。
【請求項５】
請求項４に記載の音信号処理装置であって、
前記音声検出手段は、隣接されるスピーカーに対応するチャンネルの音信号同士で音特性の相関性が高く、かつ、他のチャンネルの音信号では音特定の相関性が低いチャンネルの音信号を音声が含まれる音信号として検出する
ことを特徴とした音信号処理装置。
【請求項６】
請求項１から請求項５までのいずれか一項に記載の音信号処理装置であって、
前記音声検出手段は、各チャンネルの音信号の音特性における周波数帯域を解析することにより音声が含まれているか否かを判断する
ことを特徴とした音信号処理装置。
【請求項７】
請求項６に記載の音信号処理装置であって、
前記音声検出手段は、各チャンネルの音信号における全体の周波数帯域に対して３００Ｈｚ以上４ｋＨｚ以下の周波数帯域の割合が多いチャンネルの音信号を音声が含まれる音信号として検出する
ことを特徴とした音信号処理装置。
【請求項８】
基準点の周囲に配置される複数のスピーカーからこれらスピーカーに対応したチャンネルの音信号を再生させるために、当該音信号を演算手段により処理する音信号処理方法であって、
前記演算手段は、
前記チャンネルの音信号のうち人の音声が含まれる音信号を、それぞれの音特性の比較に基づいて検出する音声検出工程と、
この音声検出工程で検出した音声が含まれるチャンネルの音信号のみをダイナミックレンジ圧縮する圧縮処理工程と、を実施する
ことを特徴とする音信号処理方法。
【請求項９】
演算手段を請求項１から請求項７までのいずれか一項に記載の音信号処理装置として機能させる
ことを特徴とした音信号処理プログラム。
【請求項１０】
請求項１から請求項７までのいずれか一項に記載の音信号処理装置と、
この音信号処理装置により基準点の周囲に配置される複数のスピーカーに対応して処理されたチャンネルの音信号を前記スピーカーで出力させる出力手段と、
を具備したことを特徴とした再生装置。
【発明の詳細な説明】
【技術分野】
【０００１】
本発明は、基準点の周囲に配置される複数のスピーカーに対応したチャンネルの音信号を処理する音信号処理装置、その方法、そのプログラム、および、再生装置に関する。
【背景技術】
【０００２】
従来、複数のスピーカーを用いて多チャンネルの音データーを再生する再生システムが知られている。この再生システムは、例えば画像データーをモニターで表示させ、視聴者の周りに複数のスピーカーを配置して、視聴者の周囲から音データーを再生させる。これら再生システムで再生する音データーは、例えばＤＶＤ（Digital Versatile Disc）などのパッケージメディアに記録されていたり、インターネットなどのネットワークを介して配信されていたりする。
そして、従来の音データー処理装置は、例えば５．１ｃｈ（チャンネル）などのように、視聴者の周りに配置する各スピーカーから、それぞれ対応する音データーを出力させる処理をしている。
【０００３】
ところで、映画などのコンテンツは、映画館などの大音量で暗く騒音が少ない環境で再生が前提として作成されているのが大半であり、そのような環境で最大限の表現力を演出するために、ダイナミックレンジの大きな録音が実施されている。
一方、同じコンテンツを家庭の音響映像再生装置で再生する場合、特に夜間などでは音量を絞って再生する場合や、周囲の騒音が大きい場合などでは、聞き取りにくい場合がある。具体的には、ささやくような台詞の演出の場合など、コンテンツの再生音のうちで小さい音量で演出されている箇所では、いわゆるマスキングスレッショルド付近まで再生音が落ち込み、非常に聞き取りにくくなる場合が多々ある。
【０００４】
そして、従来、映画のようなダイナミックレンジが大きなコンテンツでは、音データーをダイナミックレンジ圧縮することが提案されている（例えば、特許文献１参照）。
【先行技術文献】
【特許文献】
【０００５】
【特許文献１】特表２００６−５２４９６８号公報
【発明の概要】
【発明が解決しようとする課題】
【０００６】
しかしながら、上述した特許文献１に記載のようなコンテンツの音データーをダイナミックレンジ圧縮する場合、例えばコンテンツがミュージカルやオペラなどの楽曲を含んでいると、コンテンツの演出内容が損なわれるおそれがある。
本発明は、このような点に鑑み、違和感なく人の音声を聞き取りやすくすることを特徴とする音信号処理装置、その方法、そのプログラム、および、再生装置を提供することを目的の一つとする。
【課題を解決するための手段】
【０００７】
本発明に記載の音信号処理装置は、基準点の周囲に配置される複数のスピーカーからこれらスピーカーに対応したチャンネルの音信号を再生させるために、当該音信号を処理する音信号処理装置であって、前記チャンネルの音信号のうち人の音声が含まれる音信号を、それぞれの音特性の比較に基づいて検出する音声検出手段と、この音声検出手段で検出した音声が含まれるチャンネルの音信号のみをダイナミックレンジ圧縮する圧縮処理手段と、を具備したことを特徴とする。
【０００８】
本発明に記載の音信号処理方法は、基準点の周囲に配置される複数のスピーカーからこれらスピーカーに対応したチャンネルの音信号を再生させるために、当該音信号を演算手段により処理する音信号処理方法であって、前記演算手段は、前記チャンネルの音信号のうち人の音声が含まれる音信号を、それぞれの音特性の比較に基づいて検出する音声検出工程と、この音声検出工程で検出した音声が含まれるチャンネルの音信号のみをダイナミックレンジ圧縮する圧縮処理工程と、を実施することを特徴とする。
【０００９】
本発明に記載の音信号処理プログラムは、演算手段を請求項１から請求項７までのいずれか一項に記載の音信号処理装置として機能させることを特徴とする。
【００１０】
本発明に記載の再生装置は、請求項１から請求項７までのいずれか一項に記載の音信号処理装置と、この音信号処理装置により基準点の周囲に配置される複数のスピーカーに対応して処理されたチャンネルの音信号を前記スピーカーで出力させる出力手段と、を具備したことを特徴とする。
【００１１】
なお、本発明における演算手段としては、１つのコンピューターに限らず、複数のコンピューターをネットワーク状に組み合わせた構成、ＣＰＵやマイクロコンピュータなどの素子、あるいは複数の電子部品が搭載された回路基板などをも含むものである。
【図面の簡単な説明】
【００１２】
【図１】本発明における一実施形態に係る再生装置の概略構成を示すブロック図である。
【発明を実施するための形態】
【００１３】
以下、本発明の一実施形態を図１に基づいて説明する。
なお、本実施形態では、複数のスピーカーを備えた再生システムの構成を例示するが、この限りではない。
【００１４】
［再生システム］
図１において、１００は再生システムで、この再生システム１００は、基準点の周囲に配置される複数のスピーカーから、それぞれ音信号を再生させるいわゆるマルチチャンネルのシステム構成である。
再生する音信号は、映画やミュージカル、演劇、音楽プロモーション映像などの映像信号を含むものに限らず、音楽などの映像信号を含まない音信号のみの各種コンテンツデーターに含まれるものである。特に、人の音声が含まれるものを対象とするが、人の音声が含まれないコンテンツデーターの再生を除外するものではない。
そして、再生システム１００は、コンテンツデーターを処理する再生装置２００と、この再生装置２００で処理された音信号を出力する複数のスピーカー３００と、にて構成されている。なお、再生装置２００が映像信号を処理可能な構成の場合、再生システム１００は映像信号を出力すなわち画面表示する表示装置を備えた構成としてもよい。
【００１５】
再生装置２００は、コンテンツデーターの音信号をスピーカーで出力させるためにコンテンツデーターを処理する装置である。
この再生装置２００は、コンテンツ取得手段２１０と、表示手段２２０と、入力手段２３０と、演算手段２４０と、出力手段２５０と、を備えている。
【００１６】
コンテンツ取得手段２１０は、コンテンツデーターを取得する。例えば、コンテンツ取得手段２１０は、ＣＤ（Compact Disc）やＤＶＤ（Digital Versatile Disc）などの光ディスク、磁気ディスクなどに記憶されたコンテンツデーターを読み取るドライブ装置や、インターネットやイントラネット、ＬＡＮなどのネットワークを介して再生装置２００外からコンテンツデーターを取得するインターフェースなどが例示できる。
そして、コンテンツ取得手段２１０は、取得したコンテンツデーターを演算手段２４０へ出力する。この取得するコンテンツデーターの出力は、ストリームデーターとして順次取得しつつ出力する。
なお、コンテンツデーターに映像信号と音信号とを含む場合には、音信号のみを演算手段に出力し、映像信号は別の処理装置にて処理させる。
【００１７】
表示手段２２０は、再生装置２００の図示しない筐体に外部から視認可能なモニターを備えている。モニターとしては、例えば液晶やＥＬ（Electro Luminescence）パネルなどの各種表示装置が用いられる。
そして、表示手段２２０は、演算手段２４０の制御により、演算手段２４０から出力される信号に基づいて、コンテンツデーターの処理状況や再生出力状況、入力手段２３０の入力操作内容などを表示する。
【００１８】
入力手段２３０は、利用者が入力操作可能な例えば図示しない操作ボタンや操作つまみなどの各種スイッチを複数有している。この入力手段２３０は、これらスイッチの入力操作により所定の信号を演算手段２４０に出力し、各種条件を演算手段２４０に設定入力する。
なお、入力手段２３０は、スイッチの入力操作にて設定入力する構成に限らず、例えば音声入力などいずれの入力方法を利用できる。また、いわゆるリモコンであるリモートコントローラとして構成し、入力操作に対応した信号を無線媒体を介して演算手段２４０へ送信して設定入力させる構成とするなどしてもよい。
また、入力手段２３０は、詳細は後述するが、利用者の入力操作により、音信号のダイナミックレンジ圧縮を実施する度合い、すなわち強弱を切り替える切替手段２３１を備えている。
【００１９】
演算手段２４０は、例えばシステムマイコンが用いられ、再生装置２００全体を制御可能である。
この演算手段２４０は、音信号を処理するプログラムとして、音信号取得手段２４１と、音声検出手段２４２と、圧縮処理手段２４３と、を備えている。
【００２０】
音信号取得手段２４１は、コンテンツ取得手段２１０から出力されるコンテンツデーターの音信号を取得し、チャンネル毎の音信号を抽出する。
チャンネル毎の音信号の抽出は、例えばバンドパスや、ミキシング処理、エフェクト処理、ディレイ処理を適宜実施するなど、各種方法を適用できる。
【００２１】
音声検出手段２４２は、音信号取得手段２４１で取得したチャンネル毎の音信号のうち、人の音声が含まれるチャンネルの音信号を検出する。すなわち、音声検出手段２４２は、各音信号の音特性に基づいて、音声が含まれるか否かを判断する。
具体的には、この音声検出手段２４２は、音量比較手段２４２Ａと、相関性判断手段２４２Ｂと、周波数解析手段２４２Ｃと、を備え、これらで判断したチャンネルの音信号を、人の音声を含むものとして判定する。
【００２２】
音量比較手段２４２Ａは、各チャンネルの音信号のうち、他のチャンネルの音信号よりも相対的に音量が大きいチャンネルの音信号を判断する。例えば、映画などでは台詞である人の音声がある場合、その台詞のあるシーンでの音声の音量が他の音の音量より大きい場合がほとんどである。このように、音声が含まれるチャンネルの音信号は、他のチャンネルの音信号より音量が大きくなるので、音量が大きいチャンネルの音信号は、音声を含む可能性が高い。したがって、音量比較手段２４２Ａは、音量が大きいチャンネルの音信号を、音声を含む候補として認識する。
特に、基準点の周囲に配置されたスピーカー３００における隣接するスピーカー３００に対応したチャンネルの音信号同士で比較することが好ましい。例えば、音量比較手段２４２Ａは、隣接するスピーカー３００に対応した音信号より音量が大きいものを、音声を含む候補として認識する。すなわち、映画の多くのシーンでは、台詞を語る登場人物は１人であり、その登場人物が登場する立ち位置、例えば登場人物が画面中央から左側で発言している場合には左のスピーカー３００に対応するチャンネルで顕著に台詞が再生されるため、特に隣接するスピーカーに対応する音信号で比較するとよい。
なお、隣接する２つのスピーカー３００の中間の位置に台詞が定位したコンテンツの場合、すなわち隣接する２つのスピーカー３００に対応するチャンネルにそれぞれ台詞が含まれる場合には、該当の隣接する２つのスピーカー３００の音量がともに他のチャンネルの音量より大きいという場合も起こりうる。この場合、該当する隣接した２つのスピーカー３００をともに音声を再生しているチャンネルの候補とみなし、後述する他の手段でも該当チャンネルが台詞を再生していると検知された場合、２つのスピーカー３００がともに台詞を再生しているチャンネルとして決定するとよい。なお、この場合、隣接する２つのスピーカー３００にさらに隣接するスピーカー３００より音量が大きいこととなり、この比較で検知できる。
また、隣接するスピーカー３００に対応したチャンネルの音信号同士で比較するのは、あくまで検出のための手段であって、後述するダイナミックレンジ圧縮を検出された音信号に施すのは隣接したいずれかのスピーカー３００、または両方のスピーカー３００に限定されるものではなく、例えば、センタースピーカーとリアスピーカーのようにお互い離れた場所に位置するスピーカー３００の音信号に対してであってよい。すなわち、台詞などの人の音声が含まれているチャンネルをダイナミックレンジ圧縮する。
【００２３】
相関性判断手段２４２Ｂは、各チャンネルの音信号のうち、他のチャンネルの音信号と音特性で相関性が低いチャンネルの音信号を判断する。例えば、アクション映画や戦争映画などの特定のジャンルにおいて、台詞の途中で爆発音があるなど、大音量となる演出の場合、他のチャンネルの音信号でも同じ爆発音が再生されることとなり、このような場合にはチャンネル間の相関性は高いことになるが、台詞の場合には特定のチャンネルにのみ台詞の音声がアサインされる場合が多く、この場合には必然的に他のチャンネルとの相関性は低くなる。したがって、相関性判断手段２４２Ｂは、他のチャンネルの音信号と相関性が低いチャンネルの音信号を、音声を含む候補として認識する。
この相関性判断手段２４２Ｂについても、音量比較手段２４２Ａと同様に、基準点の周囲に配置されたスピーカー３００における隣接するスピーカー３００に対応したチャンネルの音信号同士で比較する構成が好ましい。例えば、相関性判断手段２４２Ｂは、隣接するスピーカー３００に対応した音信号との音特性である周波数帯や音量を比較し、隣同士では相関性が高いが、他のスピーカー３００に対応するチャンネルの音信号とでは相関性が低い、すなわち周波数帯のレベルや音量の大きさが類似していない音信号を、音声を含む候補として認識する。音量の大きさの類似としては、音量差で判断するなどが例示できる。
なお、隣接する２つのスピーカー３００の中間の位置に台詞が定位したコンテンツの場合には、該当の隣接する２つのスピーカー３００の再生音声の相関は高く、それぞれが隣接する反対側のスピーカー３００との相関は低い、という状態が起こりうる。この場合、上述した音量の場合と同様に、これら隣接するスピーカー３００に対してさらに隣接するスピーカー３００に対応するチャンネルの音信号を比較することで、該当する隣接した２つのスピーカー３００をともに音声を再生しているチャンネルの候補とみなす。そして、後述する他の手段でも該当チャンネルが台詞を再生していると検知された場合、２つのスピーカー３００がともに台詞を再生しているチャンネルとして決定するとよい。
また、上述したように、隣接するスピーカー３００に対応したチャンネルの音信号同士で比較するのは、あくまで検出のための手段であって、後述するダイナミックレンジ圧縮を検出された音信号に施すのは隣接したいずれかのスピーカー３００、または両方のスピーカー３００に限定されるものではなく、例えば、センタースピーカーとリアスピーカーのようにお互い離れた場所に位置するスピーカー３００の音信号に対してであってよい。
【００２４】
周波数解析手段２４２Ｃは、各チャンネルの音信号の周波数帯域を解析することにより音声が含まれているか否かを判断する。例えば、人の音声は、一般に３００Ｈｚ以上４ｋＨｚ以下である。このことにより、周波数解析手段２４２Ｃは、音信号の周波数帯を解析し、３００Ｈｚ以上４ｋＨｚ以下の周波数帯が他の周波数帯より割合が顕著に多いチャンネルの音信号を、音声を含む候補として認識する。
【００２５】
そして、音声検出手段２４２は、音量比較手段２４２Ａ、相関性判断手段２４２Ｂ、および周波数解析手段２４２Ｃでそれぞれ人の音声を含むと認識したチャンネルの音信号を検出する。
なお、検出する音信号のチャンネルは１チャンネルに限られない。すなわち、人の音声が複数のチャンネルの音信号に含まれる場合、例えば複数の登場人物が異なる立ち位置でそれぞれ発言している場合などでは、それら複数のチャンネルの音信号を検出する。
【００２６】
圧縮処理手段２４３は、音声検出手段２４２で検出したチャンネルの音信号のみを、ダイナミックレンジ圧縮する。
圧縮する方法としては、各種方法が利用できる。一般的には、小さい入力レベルは大きな出力レベルに変換する一方で、大入力時のレベル差を圧縮する一種の対数変換を行い、音信号の入力レベルに対する出力レベルを変換する方法が例示できる。具体的には、ＤＳＰ（Digital Signal Processor）を用い、各チャンネルの音信号毎にサーブル参照し、入力レベルに対して出力レベルを読み替えることで実現できる。
この圧縮処理手段２４３は、ダイナミックレンジ圧縮をする程度を変更可能となっている。例えば、利用者による入力手段２３０の切替手段２３１の入力操作により、ダイナミックレンジ圧縮を実施する度合いである強弱が設定入力されると、この設定入力された度合いに対応してダイナミックレンジ圧縮を実施する。
【００２７】
出力手段２５０は、デジタル／アナログコンバータ（Digital-Analog Converter：ＤＡＣ）２５１と、アンプ２５２と、を備えている。
ＤＡＣ２５１は、再生装置２００に接続され、再生装置２００からチャンネル毎に出力される処理されたデジタルの音声信号をアナログに変換する。そして、ＤＡＣ２１０は、アナログに変換した音信号を、それぞれアンプ２５２へ出力する。
アンプ２５２は、ＤＡＣ２５１に接続されるとともに、スピーカー３００にそれぞれ接続される。これらアンプ２５２は、ＤＡＣ２５１から出力されるアナログ信号の音信号をスピーカー３００から適宜出力可能に処理し、スピーカー３００へ出力して再生させる。
【００２８】
［再生システムの動作］
次に、上記再生システム１００の動作を説明する。
まず、利用者は、所望とするコンテンツデーターの再生処理を要求する設定入力をする。この設定入力により、再生装置２００は、例えば記録媒体に記録されたコンテンツデーターをコンテンツ取得手段２１０で取得し、演算手段２４０へ順次出力する。
そして、演算手段２４０の音信号取得手段２４１は、コンテンツ取得手段２１０から出力されるコンテンツデーターの音信号を取得し、この音信号からチャンネル毎の音信号を取得する。
この音信号取得手段２４１で取得した各チャンネルの音信号について、演算手段２４０の音声検出手段２４２により、人の音声を含むチャンネルの音信号を検出する。
【００２９】
すなわち、音声検出手段２４２は、音量比較手段２４２Ａにより、各チャンネルの音信号のうち、他のチャンネルの音信号よりも相対的に音量が大きいチャンネルの音信号を判断する。特に、隣接するスピーカー３００に対応したチャンネルの音信号同士で比較し、音量が大きいチャンネルの音特性を特定する。
また、音声検出手段２４２は、相関性判断手段２４２Ｂにより、各チャンネルの音信号のうち、他のチャンネルの音信号と音特性で相関性が低いチャンネルの音信号を判断する。特に、隣接するスピーカー３００に対応したチャンネルの音信号同士の周波数帯のレベルや音量の大きさなどの音特性について比較し、音特性が類似しない、すなわち各周波数帯でのレベルの分布が異なる場合や音量差が大きい場合には、その相関性が低いチャンネルの音特性を特定する。
さらに、音声検出手段２４２は、周波数解析手段２４２Ｃにより、各チャンネルの音信号の周波数帯域を解析、すなわち３００Ｈｚ以上４ｋＨｚ以下の周波数帯が他の周波数帯より割合が顕著に多いチャンネルの音信号を特定する。
そして、音声検出手段２４２は、音量比較手段２４２Ａ、相関性判断手段２４２Ｂ、および周波数解析手段２４２Ｃでそれぞれ特定したチャンネルが同一である場合、そのチャンネルの音信号を候補として検出する。
【００３０】
この後、演算手段２４０は、圧縮処理手段２４３により、音声検出手段２４２で検出したチャンネルの音信号のみをダイナミックレンジ圧縮する。
そして、各チャンネルの音信号をそれぞれ同期させて各スピーカー３００に対応する出力手段２５０へ出力し、スピーカー３００から出力させる。この出力により、コンテンツデーターが再生される。
【００３１】
［再生システムの作用効果］
上述したように、上記実施の形態では、基準点の周囲に配置される複数のスピーカーに対応したチャンネルの音信号のうち、人の音声が含まれる音信号を、それぞれの音特性の比較に基づいて検出し、この検出したチャンネルの音信号のみをダイナミックレンジ圧縮している。
このため、コンテンツデーターの音信号全体にダイナミックレンジ圧縮を実施することで、例えば音楽などの音のバランスが影響しやすいものまで圧縮が掛けられて音楽の演出内容が変わってしまうなどの不都合を生じることなく、音全体の音特性のバランスを損なわずに、人の音声である台詞などが聞き取りやすくなり、違和感なく良好なコンテンツの鑑賞を提供できる。
【００３２】
そして、人の音声が含まれる音信号の検出として、基準点の周囲に配置されるスピーカー３００における隣接するスピーカー３００に対応したチャンネルの音信号同士の音特性を比較することで検出している。
すなわち、映画の台詞は特定のチャンネルのみで顕著に再生されることが多いことから、隣接するスピーカー３００のチャンネルの音信号同士で比較する簡単な構成で、特に従来聞き取りにくい不都合が生じている映画の台詞を、誤作動を抑制しつつ違和感なく聞き取りやすくできる。
【００３３】
また、人の音声が含まれる音信号の検出に際して、他のチャンネルの音信号よりも相対的に音量が大きいチャンネルの音信号を音声が含まれる音信号の候補としている。
すなわち、例えば映画の台詞があるシーンではその台詞は画面上の人物の位置と相関のある音に定位させることが一般であり、言い替えれば所定のチャンネルないし特定の隣接する２つのチャンネルの間で顕著に再生されるようにミキシングされることが一般的であることから、音量を比較する簡単な構成で、比較的に誤作動を生じにくく違和感なく台詞を聞き取りやすくできる。
【００３４】
さらに、人の音声が含まれる音信号の検出に際して、他のチャンネルの音信号と音特性相関性が低い、すなわち周波数帯や音量の類似性が低いチャンネルの音信号を音声が含まれる音信号の候補としている。
すなわち、例えば映画の台詞があるシーンではその台詞は画面上の人物の位置と相関のある音に定位させることが一般であり、言い替えれば所定のチャンネルないし特定の隣接する２つのチャンネルの間で顕著に再生されるようにミキシングされることが一般的であることから、台詞のあるチャンネルは他のチャンネルの音信号と音特性が異なるので、音特性を比較する簡単な構成で、比較的に誤作動を生じにくく違和感なく台詞を聞き取りやすくできる。
特に、相関性を判断するに際して、隣接するスピーカー３００に対応したチャンネルの音信号同士の相関性は高いが、他のチャンネルの音信号とでは相関性が低いチャンネルを候補とすることで、より誤作動を防止できる。
【００３５】
また、人の音声が含まれる音信号の検出に際して、周波数帯域を解析、すなわち人の音声である３００Ｈｚ以上４ｋＨｚ以下の周波数帯域の割合が多いチャンネルの音信号を、音声が含まれる音信号の候補としている。
このため、周波数帯のレベル分布状況を比較する簡単な構成で、比較的に誤作動を生じにくく違和感なく台詞を聞き取りやすくできる。
【００３６】
そして、人の音声が含まれる音信号の検出として、音量比較手段２４２Ａ、相関性判断手段２４２Ｂ、および周波数解析手段２４２Ｃでそれぞれ特定したチャンネルが同一である場合に、そのチャンネルの音信号を人の音声を含む音声の候補として検出している。
このため、より確実に人の音声を含むチャンネルの音信号を検出でき、より誤作動を防止できる。
【００３７】
［変形例］
なお、本発明は、上述した実施の一形態に限定されるものではなく、本発明の目的を達成できる範囲で以下に示される変形をも含むものである。
【００３８】
例えば、本実施形態では、音量比較手段２４２Ａ、相関性判断手段２４２Ｂ、および周波数解析手段２４２Ｃを備え、それぞれで人の音声を含む音信号か否かを判断する構成を例示したが、この限りではない。すなわち、少なくともいずれか１つの構成を設けて判断してもよい。さらに、これらの構成に他の判断を加えてもよい。
また、これら音量比較手段２４２Ａ、相関性判断手段２４２Ｂ、および周波数解析手段２４２Ｃのそれぞれが人の音声を含む音信号であると認識したものを検出し、圧縮する構成を例示したが、これらの少なくともいずれか１つが人の音声を含む音信号であると認識したものを圧縮してもよい。
【００３９】
また、音声検出手段２４２は、基準点の周囲に配置されたスピーカー３００における隣接するスピーカー３００に対応したチャンネルの音信号同士で比較する構成を例示したが、この限りではない。例えば、他のチャンネルの音信号と音特性が異なるものを、人の音声を含む音信号として認識してもよい。
【００４０】
切替手段２３１を設け、ダイナミックレンジ圧縮の度合いを変更可能な構成を例示したが、ダイナミックレンジ圧縮の度合いは一定とした構成としてもよい。
【００４１】
そして、再生システム１００として例示したが、例えばスピーカー３００を備えない再生装置２００、さらには演算手段２４０を搭載した回路基板や、コンピューターなどの演算装置を演算手段２４０として機能させるプログラムなどとして構成してもよい。
また、台詞があるコンテンツデーターを処理して説明したが、例えばオーケストラ演奏などの台詞が含まれないコンテンツデーターの再生を除外するものではない。すなわち、このようなコンテンツデーターを処理しても、台詞が含まれないため、ダイナミックレンジ圧縮の処理を実行しないだけである。
【００４２】
その他、本発明の実施の際の具体的な構造および手順は、本発明の目的を達成できる範囲で他の構造などに適宜変更できる。
【符号の説明】
【００４３】
２００……再生装置
２４０……演算手段
２４２……音声検出手段
２４２Ａ…音量比較手段
２４２Ｂ…相関性判断手段
２４２Ｃ…周波数解析手段
２４３……圧縮処理手段
３００……スピーカー
【図１】
2010230972.tif 000003